(57)【要約】【課題】  高さの異なる複数個のバッフルを備えることで、脱水行程時、バランサによる追加的な騷音及び振動を低減できる洗濯機のバランサを提供する。【解決手段】  ドラム１８に装着され、内部に液体を収容する液体収容空間を備えたバランサリング５２と、前記バランサリング５２の内部に配置された複数個の第１バッフル７０と、前記複数個の第１バッフル７０の間に配置された前記第１バッフル７０よりも高さの低い複数個の第２バッフル８０と、を含んで洗濯機のバランサを構成する。【選択図】      図３
2006075605.tif 000002
【特許請求の範囲】
【請求項１】
ドラムに装着され、内部に液体を収容するための液体収容空間を備えたバランサリングと、
前記バランサリングの内部に配置された複数個の第１バッフルと、
前記複数個の第１バッフルの間に配置された前記第１バッフルよりも高さの低い複数個の第２バッフルと、
を含んで構成されることを特徴とする洗濯機のバランサ。
【請求項２】
前記洗濯機のバランサには、前記液体収容空間を半径方向に区画する一つ以上の隔壁が形成されることを特徴とする請求項１に記載の洗濯機のバランサ。
【請求項３】
前記第１バッフル及び第２バッフルは、前記バランサリングの外壁部の内周面及び前記隔壁の内周面からそれぞれ放射状に突出されることを特徴とする請求項２に記載の洗濯機のバランサ。
【請求項４】
前記ドラムが高速回転する通常の脱水行程であるとき、前記バランサリング内に半径方向外側に集まった液体は、前記第１バッフルの高さより低く、前記第２バッフルの高さより高いか同一であることを特徴とする請求項１乃至３のいずれか１項に記載の洗濯機のバランサ。
【請求項５】
前記第１バッフルの高さは、前記液体収容空間の高さの約６０％乃至８０％であることを特徴とする請求項１に記載の洗濯機のバランサ。
【請求項６】
前記第２バッフルの高さは、前記第１バッフルの高さの約４０％乃至６０％であることを特徴とする請求項１に記載の洗濯機のバランサ。
【請求項７】
前記第１バッフル及び第２バッフルは、前記バランサリングの円周方向に交互に形成されることを特徴とする請求項１に記載の洗濯機のバランサ。
【請求項８】
前記洗濯機のバランサは、前記ドラムの前面及び背面のうち少なくとも一側に設置されることを特徴とする請求項１に記載の洗濯機のバランサ。
【請求項９】
ドラムに装着され、一面が開放されて内部に液体収容空間を備えたバランサハウジングと、
前記バランサハウジングの開放面を覆うバランサカバーと、
前記液体収容空間を半径方向に複数個に区画する一つ以上の隔壁と、
前記バランサハウジング及び隔壁に放射状に配置される複数個の第１バッフルと、
前記複数個の第１バッフルと交互に位置されるように、前記バランサハウジング及び隔壁に放射状に配置された前記第１バッフルよりも高さの低い複数個の第２バッフルと、を含んで構成されたことを特徴とする洗濯機のバランサ。
【請求項１０】
前記バランサハウジングに配置される第１バッフル及び第２バッフルは、前記バランサカバー及び前記隔壁と離隔して形成され、
前記隔壁に配置される第１バッフル及び第２バッフルは、前記バランサカバー、その内側に位置される他の隔壁及び前記バランサハウジングの内壁部と離隔して形成されることを特徴とする請求項９に記載の洗濯機のバランサ。
【発明の詳細な説明】
【技術分野】
【０００１】
本発明は、洗濯機のバランサに関するもので、詳しくは、バランサの内部に高さの異なる複数個のバッフルを交互に設置することで、洗濯機の脱水行程時、バランサによる追加的な振動及び騷音を低減できる洗濯機のバランサに関するものである。
【背景技術】
【０００２】
一般に、洗濯機は、洗剤の乳化作用、洗濯羽の回転による水流の摩擦作用及び洗濯羽が洗濯物に加える衝撃作用などを用いて、衣服及び寝具などの汚染物質を取り除く製品である。
【０００３】
図１は、従来の洗濯機を示した断面図で、図２は、従来の洗濯機のドラムを示した一部切欠斜視図で、図３は、図２のＡ-Ａ'線断面図で、従来の洗濯機のドラムが脱水行程で高速回転する状態を示している。
【０００４】
従来の洗濯機は、図１に示すように、外観をなすケーシング１０と、このケーシング１０の内部に緩衝可能に装着されるタブ１４と、このタブ１４の内側に設置されて洗濯物を収容するドラム１８と、前記タブ１４の一側に装着されて前記ドラム１８を回転するモーター部２０と、を含んで構成される。
【０００５】
前記ケーシング１０の前面には、洗濯物の投入時に開放されるドア１２が回動自在に設置される。また、このドア１２が形成されたケーシング１０の前面と前記タブ１４の前面との間には、洗濯水の流出を防止するために、前記ケーシング１０の内側面及びタブ１４の前面によって形成される空間を密閉するガスケット１７が設置される。
【０００６】
前記洗濯機は、前記タブ１４を前記ケーシング１０の上部に懸架して支持するために、前記ケーシング１０の上部及びタブ１４に連結されたスプリング１１と、前記タブ１４を前記ケーシング１０の底面に緩衝可能に支持するために、前記タブ１４及びケーシング１０の底面に連結されたダンパー１３と、を含む。
【０００７】
前記洗濯機は、バランサ１５を含むが、このバランサ１５は、図２に示すように、前記ドラム１８の前面に円周方向にリング状に形成されており、内部に塩水が充填されたバランサリング２１と、このバランサリング２１を半径方向に分離する複数個の隔壁２３と、前記バランサリング２１との間に側面隙間２７が形成され、所定高さを有して放射状に配設される複数個のバッフル２５と、を含んで構成される。
【０００８】
前記各バッフル２５は、全て同一の高さを有し、隣接する隔壁２３との間に所定の上部隙間２９が形成される。
【０００９】
以下、上記のように構成された従来の洗濯機の作動を説明する。
まず、ドア１２を開けて前記ドラム１８の内部に洗濯物を投入した後、洗剤及び洗濯水が前記ドラム１８の内部に供給されると、前記モーター部２０の駆動によって前記ドラムが回転される。
【００１０】
前記ドラム１８が回転されると、洗濯物は、前記ドラム１８の内部に装着されたリフター１９によって持ち上げられてから落下することで、洗濯が行われる。
【００１１】
上記のような洗濯行程の終了後、前記洗濯物に残った泡を濯ぐための濯ぎ行程が行われる。次いで、前記洗濯及び濯ぎ行程後、洗濯物の水気を取り除くための脱水行程が行われる。
【００１２】
脱水行程で前記ドラム１８が高速で回転されると、洗濯物の水気は、遠心脱水されながら前記ドラム１８の通孔を通して排出され、洗濯機の外部に排出される。
【００１３】
前記ドラム１８の回転速度は、停止状態から徐々に増加するが、前記ドラム１８の低速回転によって、前記バッフル２５と前記バランサリング２１との側面隙間２７及び上部隙間２９を通して塩水が移動する。その結果、前記塩水は、重力によって前記バランサの下端部に集まることになる。
【００１４】
その後、前記ドラム１８の回転速度が増加して塩水の重力に勝つ遠心力が発生すると、前記ドラム１８の回転によって塩水が継続的に上部に移動し、その結果、図３に示すように、塩水が円周方向に分散される。
【００１５】
すなわち、前記各隔壁２３の独立空間ごとに前記バッフル２５よりも低い高さで塩水が充填される状態で、洗濯機の通常の脱水行程が行われる。
【００１６】
このとき、前記ドラム１８の内部では、洗濯物が一方に偏ることで不均衡な質量が発生するが、前記バランサ内の塩水は、不均衡な質量の荷重だけ偏った方向と反対に移動するので、このような不均衡な質量を補正するようになる。
【００１７】
しかしながら、従来の洗濯機は、前記通常の脱水行程で前記ドラム１８の回転速度が増加するにつれて、ドラム１８の振動数とタブ１４の振動数とが一致するようになる。その結果、振動及び騷音を引き起こす共振現象またはその他の異常振動が発生した場合、これらバッフル２５とバッフル２５との間の空間で塩水が揺れ動いて振動及び騷音が増加するという問題点があった。
【発明の開示】
【発明が解決しようとする課題】
【００１８】
本発明は、上記の問題を解決するためになされたもので、高さの異なる複数個のバッフルを備えることで、脱水行程時、バランサによる追加的な騷音及び振動を低減できる洗濯機のバランサを提供することを目的とする。
【課題を解決するための手段】
【００１９】
上記の目的を達成するために、本発明による洗濯機のバランサは、ドラムに装着され、内部に液体を収容するための液体収容空間を備えたバランサリングと、前記バランサリングの内部に配置された複数個の第１バッフルと、前記複数個の第１バッフルの間に配置された前記第１バッフルよりも高さの低い複数個の第２バッフルと、を含んで構成されることを特徴とする。
【００２０】
前記洗濯機のバランサには、前記液体収容空間を半径方向に区画する一つ以上の隔壁が形成されることを特徴とする。
【００２１】
前記第１バッフル及び第２バッフルは、前記バランサリングの外壁部の内周面及び前記隔壁の内周面からそれぞれ放射状に突出されることを特徴とする。
【００２２】
前記ドラムが高速回転する通常の脱水行程であるとき、前記バランサリング内に半径方向外側に集まった液体は、前記第１バッフルの高さより低く、前記第２バッフルの高さより高いか同一であることを特徴とする。
【００２３】
前記第１バッフルの高さは、前記液体収容空間の高さの約６０％乃至８０％であることを特徴とする。
【００２４】
前記第２バッフルの高さは、前記第１バッフルの高さの約４０％乃至６０％であることを特徴とする。
【００２５】
前記第１バッフル及び第２バッフルは、前記バランサリングの円周方向に交互に形成されることを特徴とする。
【００２６】
前記洗濯機のバランサは、前記ドラムの前面及び背面のうち少なくとも一側に設置されることを特徴とする。
【００２７】
本発明による洗濯機のバランサは、ドラムに装着され、一面が開放されて内部に液体収容空間を備えたバランサハウジングと、前記バランサハウジングの開放面を覆うバランサカバーと、前記液体収容空間を半径方向に複数個に区画する一つ以上の隔壁と、前記バランサハウジング及び隔壁に放射状に配置される複数個の第１バッフルと、前記複数個の第１バッフルと交互に位置されるように、前記バランサハウジング及び隔壁に放射状に配置された前記第１バッフルよりも高さの低い複数個の第２バッフルと、を含んで構成されることを特徴とする。
【００２８】
前記バランサハウジングに配置される第１バッフル及び第２バッフルは、前記バランサカバー及び前記隔壁と離隔して形成され、前記隔壁に配置される第１バッフル及び第２バッフルは、前記バランサカバー、その内側に位置される他の隔壁及び前記バランサハウジングの内壁部と離隔して形成されることを特徴とする。
【発明の効果】
【００２９】
本発明による洗濯機のバランサは、第１バッフルの間に第１バッフルよりも高さの低い第２バッフルを備えることで、ドラムの振動数とタブの振動数とが一致する瞬間に共振現象が発生するか、または、その他の異常振動が発生した場合、第１バッフルよりも高さの低い第２バッフルが塩水の揺れ動きを抑制することで、共振現象またはその他の異常振動による追加的な騷音及び振動を抑制できるという効果がある。
【００３０】
また、本発明による洗濯機のバランサは、第１バッフルよりも第２バッフルの高さが低いため、バランサリング内の塩水がバランサリングの外側に迅速に集まるという効果がある。
【発明を実施するための最良の形態】
【００３１】
以下、本発明の実施の形態を図面に基づいて説明する。本実施形態を説明するにおいて、同一構成には同一の名称及び符号を付し、それに対する付加的な説明を省略する。
【００３２】
図４は、本発明による洗濯機のバランサが装着されたドラムを示した一部切欠斜視図で、図５は、図４のＢ-Ｂ'線断面図で、ドラムが洗濯機の脱水行程で低速回転する状態を示している。また、図６は、図４のＢ-Ｂ'線断面図で、ドラムが洗濯機の脱水行程で高速回転する状態を示している。
【００３３】
本発明による洗濯機のバランサ５０は、図４に示すように、前記モーター部２０が連結されるドラムの一側に装着されるとともに、前記モーター部２０が連結されてないドラム１８の他側にも装着される。
【００３４】
前記ドラム１８の前面には、洗濯物を出し入れするための円状の出し入れホール１８ａが形成され、前記ドラム１８の背面には、モーター部２０が連結され、前記バランサ５０は、前記ドラム１８の前面及び背面にそれぞれ装着される。
【００３５】
前記バランサ５０は、全体的にリング状に形成され、内部に塩水などの液体(以下、塩水という)の収容空間を備えたバランサリング５２を含んで構成される。
【００３６】
前記バランサリング５２は、前面及び後面のうち一面が開放され、内部に液体収容空間が形成されたバランサハウジング５４と、このバランサハウジング５４に熱融着されて前記バランサハウジング５４の開放面を覆うバランサカバー５８と、を含んで構成される。
【００３７】
前記バランサハウジング５４には、内壁部５５と外壁部５６との間に前記液体収容空間がリング状に形成される。
【００３８】
前記バランサ５０は、前記バランサリング５２の内部空間を半径方向に独立空間に分離区画する一つ以上の隔壁６２，６４，６６を含んで構成される。
【００３９】
前記隔壁６２，６４，６６は、前記バランサハウジング５４の内壁部５５と外壁部５６との間で互いに離隔してリング状に形成される。
【００４０】
以下、前記隔壁６２，６４，６６が３個形成された場合を例に挙げて説明する。
前記バランサ５０は、前記バランサリング５２の内部空間に配置された複数個の第１バッフル７０と、前記複数個の第１バッフル７０の間に配置された前記第１バッフル７０より高さの低い複数個の第２バッフル８０と、をさらに含んで構成される。
【００４１】
前記第１バッフル７０及び第２バッフル８０は、前記バランサリング５２の円周方向に全体的に放射状をなして交互に配置される。
【００４２】
前記第１バッフル７０及び第２バッフル８０は、前記バランサハウジング５４の外壁部５６の内周面及び前記隔壁６２，６４，６６の内周面からそれぞれ突出される。
【００４３】
前記バランサハウジング５４の外壁部５６の内周面に配置される第１バッフル７０及び第２バッフル８０は、前記バランサカバー５８及び前記隔壁６２と離隔して形成される。
【００４４】
前記隔壁６２，６４，６６に配置される第１バッフル７０及び第２バッフル８０は、前記バランサカバー５８、その内側に位置される他の隔壁及び前記バランサハウジング５４の内壁部５５と離隔して形成される。
【００４５】
前記第１バッフル７０及び第２バッフル８０と前記バランサカバー５８との間には、側面隙間７２，８２が形成される。
【００４６】
前記第１バッフル７０は、通常の脱水行程を容易に行うために、その高さＨ１が前記各液体収容空間の高さＨ２の約６０％乃至８０％となっており、前記隔壁６２，６４，６６またはバランサハウジング５４の内壁部５５との間に上部隙間７４が形成される。
【００４７】
前記第２バッフル８０は、その高さＨ３が前記第１バッフル７０の高さＨ１の約４０％乃至６０％となっており、前記隔壁６２，６４，６６またはバランサハウジング５４の内壁部５５との間に上部隙間８４が形成される。
【００４８】
一方、前記ドラム１８が高速回転する通常の脱水行程であるとき、図６に示すように、前記バランサリング５２内に半径方向外側に集まった液体の高さは、前記第１バッフル７０の高さＨ１より低く、前記第２バッフル８０の高さＨ３より高いか同一である。
【００４９】
以下、上記のように構成された従来の洗濯機の作動を説明する。
まず、前記ドラム１８の内部に洗濯物が投入された後、洗剤及び洗濯水が前記ドラム１８の内部に供給されると、前記モーター部２０の駆動によって前記ドラム１８が回転される。
【００５０】
前記ドラム１８が回転されると、洗濯物は、前記ドラム１８の内部に装着されたリフター１９によって持ち上げられてから落下することで、洗濯が行われる。
【００５１】
前記洗濯行程の終了後、前記洗濯物に残った泡を濯ぐための濯ぎ行程が行われる。次いで、前記洗濯及び濯ぎ行程後、洗濯物の水気を取り除くための脱水行程が行われる。
【００５２】
脱水行程で前記ドラム１８が高速で回転されると、洗濯物の水気は、遠心脱水されながら前記ドラム１８の通孔を通して排出され、洗濯機の外部に排出される。
【００５３】
前記ドラム１８の回転速度は、停止状態から徐々に増加するが、前記ドラム１８が低速回転するとき、図５に示すように、塩水は、前記第１及び第２バッフル７０，８０と前記バランサカバー５８との側面隙間７２，８２及び上部隙間７４，８４を通して移動しながら、重力によって全体的に前記バランサリング５２の内側下部に集まる。
【００５４】
前記ドラム１８の回転速度が増加して塩水の重力に勝つ遠心力が作用すると、図６に示すように、前記ドラム１８の回転によって塩水が継続的に上部に引き上げられる。その結果、塩水は、前記隔壁６２，６４，６６によって形成された各独立空間の外側方向に集まり、全体的にリング状をなして分散される。
【００５５】
前記ドラム１８の回転速度増加によって前記ドラム１８が通常の脱水行程に入ると、塩水は、前記第１及び第２バッフル７０，８０の側面隙間７２，８２及び前記第２バッフル８０の上部隙間８４を通して円周方向に移動するが、前記第１バッフル７０の上部隙間７４を通しては円周方向に移動しない。
【００５６】
一方、前記ドラム１８の回転によって、ドラム１８内の洗濯物が一方に偏って不均衡な質量が発生するが、前記バランサ５０内の塩水は、慣性によって不均衡な質量に該当する荷重だけ偏った方向と反対に移動し、この不均衡な質量を補正するようになる。
【００５７】
一方、通常の脱水行程で前記ドラム１８の回転速度が増加し、ドラム１８の振動数とタブ１４の振動数とが一致する瞬間に共振現象が発生するか、または、その他の異常振動が発生した場合、前記第１バッフル７０の間にある塩水が揺れ動きながらドラム１８を加振させるが、このとき、前記第２バッフル８０が塩水の揺れ動きを抑制することで、ドラム１８の２次振動を最小化できる。
【図面の簡単な説明】
【００５８】
【図１】従来の洗濯機を示した断面図である。
【図２】従来の洗濯機のドラムを示した一部切欠斜視図である。
【図３】図２のＡ-Ａ'線断面図で、従来の洗濯機のドラムが脱水行程で高速回転する状態を示している。
【図４】本発明による洗濯機のバランサが装着されたドラムを示した一部切欠斜視図である。
【図５】図４のＢ-Ｂ'線断面図で、ドラムが洗濯機の脱水行程で低速回転する状態を示している。
【図６】図４のＢ-Ｂ'線断面図で、ドラムが洗濯機の脱水行程で高速回転する状態を示している。
【符号の説明】
【００５９】
５０    バランサ
５２    バランサリング
５４    バランサハウジング
５５    バランサハウジングの内壁部
５６    バランサハウジングの外壁部
５８    バランサカバー
６２，６４，６６    隔壁
７０    第１バッフル
７２    側面隙間
７４    上部隙間
８０    第２バッフル
８２    側面隙間
８４    上部隙間
Ｈ１    第１バッフルの高さ
Ｈ３    第２バッフルの高さ
【図１】
2006075605.tif 000003
【図２】
2006075605.tif 000004
【図３】
2006075605.tif 000005
【図４】
2006075605.tif 000006
【図５】
2006075605.tif 000007
【図６】
2006075605.tif 000008